(57)【要約】【課題】建物内対向面に設置できる建物用シャッターを提供する。【解決手段】建物用シャッター１１において、シャッターカーテン１７を巻き取り繰り出し自在に支持する水平な巻取軸１５と、巻取軸１５の端部が直径方向で挿入可能なＵ字状の支持溝を巻取軸１５に略直交するブラケット本体板３９に有し、このブラケット本体板３９を上下で挟む上端縁及び下端縁に巻取軸中央部と反対側に突出した平行な一対のブラケット固定片４１を有する一対の軸端支持ブラケット２５と、一対の軸端支持ブラケット２５に対となって組み合わされ、一対のブラケット固定片４１のそれぞれの下面を上面に載置して一対のブラケット固定片４１が固定される一対の載置片４７を有し、巻取軸１５に略直交してこの一対の載置片４７を上端縁及び下端縁に接続するとともに建物内対向面１９に固定されるプレート本体板５１を有する一対のブラケット固定プレート２７と、を設けた。【選択図】  図３
2019082062.tif 000002
【特許請求の範囲】
【請求項１】
シャッターカーテンを巻き取り繰り出し自在に支持する水平な巻取軸と、
前記巻取軸の端部が直径方向で挿入可能なＵ字状の支持溝を前記巻取軸に略直交するブラケット本体板に有し、このブラケット本体板の前記支持溝を上下で挟む上端縁及び下端縁に巻取軸中央部と反対側に突出した平行な一対のブラケット固定片を有する一対の軸端支持ブラケットと、
前記一対の軸端支持ブラケットのそれぞれに対となって組み合わされ、前記一対のブラケット固定片のそれぞれの下面を上面に載置して前記一対のブラケット固定片が固定される一対の載置片を有し、前記巻取軸に略直交してこの一対の載置片を上端縁及び下端縁に接続するとともに、建物内対向面に固定されるプレート本体板を有する一対のブラケット固定プレートと、
を具備することを特徴とする建物用シャッター。
【請求項２】
シャッターカーテンの昇降方向に沿う左右の側縁部を案内溝に挿入してガイドする一対のガイドレール本体と、
昇降する前記シャッターカーテンを挟む表裏方向で前記ガイドレール本体を挟み、前記表裏方向と同方向に突出する係合部材を前記ガイドレール本体に係合する一対の補強部材と、
前記案内溝の溝開口と反対側の前記ガイドレール本体の背面に配置され、前記一対の補強部材を連結するとともに、前記補強部材と反対側に突出した平行な一対のジョイント固定片を上端縁及び下端縁に有するジョイント部材と、
水平片と垂直片とを有して断面Ｌ形に形成され、前記水平片が前記一対のジョイント固定片のいずれか一方に固定されるとともに、前記垂直片が建物内対向面に固定される取付アングルと、
を具備することを特徴とする建物用シャッター。
【請求項３】
シャッターカーテンを巻き取り繰り出し自在に支持する水平な巻取軸と、
前記巻取軸の端部が直径方向で挿入可能なＵ字状の支持溝を前記巻取軸に略直交するブラケット本体板に有し、このブラケット本体板の前記支持溝を上下で挟む上端縁及び下端縁に巻取軸中央部と反対側に突出した平行な一対のブラケット固定片を有する一対の軸端支持ブラケットと、
前記一対の軸端支持ブラケットのそれぞれに対となって組み合わされ、前記一対のブラケット固定片のそれぞれの下面を上面に載置して前記一対のブラケット固定片が固定される一対の載置片を有し、前記巻取軸に略直交してこの一対の載置片を上端縁及び下端縁に接続するとともに、建物内対向面に固定されるプレート本体板を有する一対のブラケット固定プレートと、
前記軸端支持ブラケットの下方に配置され、前記シャッターカーテンの昇降方向に沿う左右の側縁部を案内溝に挿入してガイドする一対のガイドレール本体と、
昇降する前記シャッターカーテンを挟む表裏方向で前記ガイドレール本体を挟み、前記表裏方向と同方向に突出する係合部材を前記ガイドレール本体に係合する一対の補強部材と、
前記側縁部を挿入する前記案内溝の溝開口と反対側の前記ガイドレール本体の背面に配置され、前記一対の補強部材を連結するとともに、前記補強部材と反対側に突出した平行な一対のジョイント固定片を上端縁及び下端縁に有するジョイント部材と、
水平片と垂直片とを有して断面Ｌ形に形成され、前記水平片が前記一対のジョイント固定片のいずれか一方に固定されるとともに、前記垂直片が前記建物内対向面に固定される取付アングルと、
を具備することを特徴とする建物用シャッター。
【発明の詳細な説明】
【技術分野】
【０００１】
本発明は、建物用シャッターに関する。
【背景技術】
【０００２】
従来、建物用シャッターは、建物の開口部の上部に設けられた下り壁に支持されるのが一般的であった。また、この場合、開口部の左右は、通常、壁となることが多い。つまり、建物用シャッターの取り付けられる建物躯体の開口部は、正面から見れば、下り壁と、左右の壁との三方で囲まれた門形の取付枠状構造を有していた。建物用シャッターは、これら下り壁と、左右の壁とを躯体側取付部分として利用することにより、シャッターカーテンを巻装する水平な巻取軸、シャッターカーテンを収納する収納部、及びシャッターカーテンの昇降を案内する左右一対のガイドレールを建物躯体に固定することができた。この場合、巻取軸、収納部及びガイドレール等の諸部材は、下り壁及び左右の壁の正面に、ブラケットや枠部材等を使用することにより固定されていた。つまり、シャッターカーテンの面と平行な面にのみ諸部材が配置固定されていた。そして、巻取軸を支持するブラケットの固定される面は、巻取軸と平行で、かつ、鉛直な面であった。
【先行技術文献】
【特許文献】
【０００３】
【特許文献１】特開２０００−５４７５８号公報
【発明の概要】
【発明が解決しようとする課題】
【０００４】
しかしながら、近年、建築工期短縮、資材削減などのため、下り壁を構築しない物流倉庫などの大規模な建物が増えている。この種の建物では、広い屋内空間に、複数の柱のみが立設される場合が多く、通常、柱間を連続させる壁も構築されない。つまり、巻取軸と平行な面が、柱正面しか存在しない。さらに、通路状となった大空間では、この柱正面も隠れてしまい、従来の支持構造では建物用シャッターを取り付けることができなくなった。すなわち、例えば通路を挟んで対向する壁面や、柱同士の対向面など、「水平な巻取軸に略直交し、かつ、建物内で対向する面（単に「建物内対向面」と言う。）」しか存在しない。一方、このような、取付枠として利用できる下り壁や左右の壁が存在しない建物においても、対向する壁面間や柱間にシャッターを設置することにより、大空間を仕切る例えば間仕切りとして利用したい要請がある。
【０００５】
本発明は上記状況に鑑みてなされたもので、その目的は、建物内対向面に設置することのできる建物用シャッターを提供することにある。
【課題を解決するための手段】
【０００６】
次に、上記の課題を解決するための手段を、実施の形態に対応する図面を参照して説明する。
本発明の請求項１記載の建物用シャッター１１は、シャッターカーテン１７を巻き取り繰り出し自在に支持する水平な巻取軸１５と、
前記巻取軸１５の端部が直径方向で挿入可能なＵ字状の支持溝３７を前記巻取軸１５に略直交するブラケット本体板３９に有し、このブラケット本体板３９の前記支持溝３７を上下で挟む上端縁及び下端縁に巻取軸中央部と反対側に突出した平行な一対のブラケット固定片４１，４１を有する一対の軸端支持ブラケット２５，２５と、
前記一対の軸端支持ブラケット２５，２５のそれぞれに対となって組み合わされ、前記一対のブラケット固定片４１，４１のそれぞれの下面を上面に載置して前記一対のブラケット固定片４１，４１が固定される一対の載置片４７，４７を有し、前記巻取軸１５に略直交してこの一対の載置片４７，４７を上端縁及び下端縁に接続するとともに、建物内対向面１９に固定されるプレート本体板５１を有する一対のブラケット固定プレート２７，２７と、
を具備することを特徴とする。
【０００７】
この建物用シャッター１１では、ブラケット固定プレート２７，２７のプレート本体板５１が、建物内対向面１９，１９のそれぞれに固定される。それぞれのブラケット固定プレート２７，２７には、双方に接近する方向に突出する水平な上下一対の載置片４７，４７が形成される。この載置片４７，４７の上面に、軸端支持ブラケット２５の上下一対のブラケット固定片４１，４１が載置され、かつ、固定される。軸端支持ブラケット２５は、ブラケット固定片４１が載置片４７に固定されることにより、ブラケット本体板３９が、建物内対向面１９と平行となり、且つ互いに平行に配置される。このブラケット本体板３９には、Ｕ字状の支持溝３７が形成される。ブラケット固定プレート２７に固定された軸端支持ブラケット２５の支持溝３７には、シャッターカーテン１７を巻装した巻取軸１５の両側の端部が、直径方向で挿入される。これにより、巻取軸１５は、軸端支持ブラケット２５，２５及びブラケット固定プレート２７，２７を介して建物内対向面１９，１９に取り付けられる。
【０００８】
本発明の請求項２記載の建物用シャッター１１は、シャッターカーテン１７の昇降方向に沿う左右の側縁部を案内溝５５に挿入してガイドする一対のガイドレール本体２９，２９と、
昇降する前記シャッターカーテン１７を挟む表裏方向で前記ガイドレール本体２９を挟み、前記表裏方向と同方向に突出する係合部材５７を前記ガイドレール本体２９に係合する一対の補強部材３１，３１と、
前記案内溝５５の溝開口６５と反対側の前記ガイドレール本体２９の背面に配置され、前記一対の補強部材３１，３１を連結するとともに、前記補強部材３１と反対側に突出した平行な一対のジョイント固定片７１，７１を上端縁及び下端縁に有するジョイント部材３３と、
水平片７３と垂直片７５とを有して断面Ｌ形に形成され、前記水平片７３が前記一対のジョイント固定片７１，７１のいずれか一方に固定されるとともに、前記垂直片７５が建物内対向面１９に固定される取付アングル３５と、
を具備することを特徴とする。
【０００９】
この建物用シャッター１１では、一対の補強部材３１，３１が、ガイドレール本体２９を、シャッターカーテン１７の表裏方向から挟んで配置される。一対の補強部材３１，３１は、ガイドレール本体２９の延在方向、すなわち、上下方向に沿って複数対を設けることができる。ガイドレール本体２９を挟んで配置された一対の補強部材３１，３１は、ガイドレール本体２９の溝開口６５と反対側である背面側でジョイント部材３３により一体に連結される。ガイドレール本体２９を挟んだ状態でジョイント部材３３により一体に連結された一対の補強部材３１，３１は、係合部材５７がガイドレール本体２９に係合することにより、ガイドレール本体２９を離脱不能に保持する。一方、建物内対向面１９には、取付アングル３５の垂直片７５が所定の位置に固定される。建物内対向面１９に固定された取付アングル３５の水平片７３は、補強部材３１，３１とともにガイドレール本体２９を保持したジョイント部材３３のいずれか一方のジョイント固定片７１と固定される。これにより、ガイドレール本体２９は、補強部材３１，３１、ジョイント部材３３及び取付アングル３５を介して建物内対向面１９，１９に取り付けられる。
【００１０】
本発明の請求項３記載の建物用シャッター１１は、シャッターカーテン１７を巻き取り繰り出し自在に支持する水平な巻取軸１５と、
前記巻取軸１５の端部が直径方向で挿入可能なＵ字状の支持溝３７を前記巻取軸１５に略直交するブラケット本体板３９に有し、このブラケット本体板３９の前記支持溝３７を上下で挟む上端縁及び下端縁に巻取軸中央部と反対側に突出した平行な一対のブラケット固定片４１，４１を有する一対の軸端支持ブラケット２５，２５と、
前記一対の軸端支持ブラケット２５，２５のそれぞれに対となって組み合わされ、前記一対のブラケット固定片４１，４１のそれぞれの下面を上面に載置して前記一対のブラケット固定片４１，４１が固定される一対の載置片４７，４７を有し、前記巻取軸１５に略直交してこの一対の載置片４７，４７を上端縁及び下端縁に接続するとともに、建物内対向面１９に固定されるプレート本体板５１を有する一対のブラケット固定プレート２７，２７と、
前記軸端支持ブラケット２５，２５の下方に配置され、前記シャッターカーテン１７の昇降方向に沿う左右の側縁部を案内溝５５に挿入してガイドする一対のガイドレール本体２９，２９と、
昇降する前記シャッターカーテン１７を挟む表裏方向で前記ガイドレール本体２９を挟み、前記表裏方向と同方向に突出する係合部材５７を前記ガイドレール本体２９に係合する一対の補強部材３１，３１と、
前記側縁部を挿入する前記案内溝５５の溝開口６５と反対側の前記ガイドレール本体２９の背面に配置され、前記一対の補強部材３１，３１を連結するとともに、前記補強部材３１と反対側に突出した平行な一対のジョイント固定片７１，７１を上端縁及び下端縁に有するジョイント部材３３と、
水平片７３と垂直片７５とを有して断面Ｌ形に形成され、前記水平片７３が前記一対のジョイント固定片７１，７１のいずれか一方に固定されるとともに、前記垂直片７５が前記建物内対向面１９に固定される取付アングル３５と、
を具備することを特徴とする。
【００１１】
この建物用シャッター１１では、ブラケット固定プレート２７，２７のプレート本体板５１が、建物内対向面１９，１９のそれぞれに固定される。それぞれのブラケット固定プレート２７，２７には、双方に接近する方向に突出する水平な上下一対の載置片４７，４７が形成される。この載置片４７，４７の上面に、軸端支持ブラケット２５の上下一対のブラケット固定片４１，４１が載置され、かつ、固定される。軸端支持ブラケット２５は、ブラケット固定片４１が載置片４７に固定されることにより、ブラケット本体板３９が、建物内対向面１９と平行となり、且つ互いに平行に配置される。このブラケット本体板３９には、Ｕ字状の支持溝３７が形成される。ブラケット固定プレート２７に固定された軸端支持ブラケット２５の支持溝３７には、シャッターカーテン１７を巻装した巻取軸１５の両側の端部が、直径方向で挿入される。これにより、巻取軸１５は、軸端支持ブラケット２５，２５及びブラケット固定プレート２７，２７を介して建物内対向面１９に取り付けられる。
また、一対の補強部材３１，３１が、ガイドレール本体２９を、シャッターカーテン１７の表裏方向から挟んで配置される。一対の補強部材３１，３１は、ガイドレール本体２９の延在方向、すなわち、上下方向に沿って複数対を設けることができる。ガイドレール本体２９を挟んで配置された一対の補強部材３１，３１は、ガイドレール本体２９の溝開口６５と反対側である背面側でジョイント部材３３により一体に連結される。ガイドレール本体２９を挟んだ状態でジョイント部材３３により一体に連結された一対の補強部材３１，３１は、係合部材５７がガイドレール本体２９に係合することにより、ガイドレール本体２９を離脱不能に保持する。一方、建物内対向面１９には、取付アングル３５の垂直片７５が、軸端支持ブラケット２５の下方における所定の位置に固定される。建物内対向面１９に固定された取付アングル３５の水平片７３は、補強部材３１，３１とともにガイドレール本体２９を保持したジョイント部材３３のいずれか一方のジョイント固定片７１と固定される。これにより、ガイドレール本体２９は、補強部材３１，３１、ジョイント部材３３及び取付アングル３５を介して建物内対向面１９，１９に取り付けられる。
【発明の効果】
【００１２】
本発明に係る請求項１記載の建物用シャッターによれば、柱と柱の間や対向する壁間など建物内対向面にシャッターカーテンを設置することができる。これにより、例えば物流倉庫などの大型な屋内空間を備える建築物の内部において、従来のような門型の躯体部分を備えない部位、例えば柱と柱の対向面や壁間の対向面など建物内対向面にシャッターカーテンを設置でき、空間を区画形成させるなど仕切る構造を付与でき、また、下り壁などの躯体構造部分を必要としないことから、施工期間の大幅な短縮などを図ることが可能となる。
【００１３】
本発明に係る請求項２記載の建物用シャッターによれば、柱と柱の間や対向する壁間など建物内対向面にガイドレール本体を設置できる。これにより、例えば物流倉庫などの大型な屋内空間を備える建築物の内部において、従来のような門型の躯体部分を備えない部位、例えば柱と柱の対向面や壁間の対向面など建物内対向面にガイドレールを設置でき、空間を区画形成させるなど仕切る構造を付与でき、また、施工期間の大幅な短縮などを図ることが可能となる。
【００１４】
本発明に係る請求項３記載の建物用シャッターによれば、柱と柱の間や対向する壁間など建物内対向面にシャッターカーテン及びガイドレール本体を設置できる。これにより、例えば物流倉庫などの大型な屋内空間を備える建築物の内部において、従来のような門型の躯体部分を備えない部位、例えば柱と柱の対向面や壁間の対向面など建物内対向面にシャッターカーテン及びガイドレールを設置でき、空間を区画形成させるなど仕切る構造を付与でき、また、下り壁などの躯体構造部分を必要としないことから、施工期間の大幅な短縮などを図ることが可能となる。
【図面の簡単な説明】
【００１５】
【図１】本発明の実施形態に係る建物用シャッターの正面図である。
【図２】図１に示した建物用シャッターの側面図である。
【図３】図１の軸端における要部拡大図である。
【図４】図１に示したガイドレールの平断面図である。
【図５】図１に示した右方におけるガイドレール近傍の一部分を切り欠いた拡大正面図である。
【図６】図１の左方におけるガイドレール本体の取付構造の要部拡大正面図である。
【図７】ガイドレールの取付例を（ａ）（ｂ）で表した概略平断面図である。
【図８】ガイドレール本体、補強部材及びジョイント部材が固定される前の建物用シャッターの組立手順の説明図である。
【図９】取付アングルが固定される前の建物用シャッターの組立手順の説明図である。
【図１０】化粧板が固定される前の建物用シャッターの組立手順の説明図である。
【図１１】軸端支持ブラケット、ブラケット固定プレートが固定される前の建物用シャッターの組立手順の説明図である。
【発明を実施するための形態】
【００１６】
以下、本発明に係る実施形態を図面を参照して説明する。
図１は本発明の実施形態に係る建物用シャッター１１の正面図である。
本実施形態に係る建物用シャッター１１は、例えば物流倉庫等の大型建物に取り付けられるいわゆる重量シャッターとして好適に用いられる。
【００１７】
建物用シャッター１１は、収納部１３を上部に備える。収納部１３は、水平方向に長い巻取軸１５（図３参照）を有している。巻取軸１５は、例えば平行な複数の長尺スラットを巻き取り繰り出し方向に連結したシャッターカーテン１７を巻装する。収納部１３は、「水平な巻取軸１５に略直交し、かつ、建物内で対向する面（以下、単に「建物内対向面」と言う。）」の間に、設置される。この建物内対向面１９は、例えば柱面や壁面とすることができる。本実施形態において、建物内対向面１９は、床Ｆと天井Ｃとの間に立設される一対の柱８３，８３間の対向面とする。
【００１８】
収納部１３には、開閉機２１が設けられる。建物用シャッター１１は、開閉駆動の機構として上部電動式、上部手動式、下部手動式、フック式等がある。
【００１９】
上部電動式は、開閉機２１を収納部１３に設置し、巻取軸１５と開閉機２１をローラチェーンで連結し、電動で巻き上げる。開ける時は、通常は押しボタンを操作して電動で開ける。閉める時は、通常は押しボタンを操作して電動で閉める。停電時は、下降用のひもを引き制動状態を解除し自重降下で閉める。
【００２０】
上部手動式は、開閉機２１を収納部１３に設置し、巻取軸１５と開閉機２１で巻き上げる。開ける時は、ハンドルまたはチェーンを用いることで巻き上げる。閉める時は、下降用ひもを引き制動状態を解除し自重降下で閉める。ヒューズ装置、煙（熱）感知器による連動閉鎖も可能とすることができる。
【００２１】
下部手動式は、開閉機２１を下部に設置し、巻取軸１５と開閉機２１をワイヤーロープで連結し、ハンドルで巻き上げる。開ける時は、開閉機２１のサムピースを所定の位置（例えば９０°）まで回転し、ハンドルで巻き上げる。閉める時は、サムピースを所定の位置（例えば１８０°）まで回転し、自重降下で閉める。ヒューズ装置、煙（熱）感知器による連動閉鎖も可能とすることができる。
【００２２】
フック式は、開閉機２１を収納部１３に設置し、巻取軸１５と開閉機２１をローラチェーンで連結し、フック操作で巻き上げる。開ける時は、巻き上げ用フックで巻き上げる。閉める時は、降下用フックを一回引き自重降下で閉める。自重降下中巻き上げ用フックを引くと停止する。ヒューズ装置、煙（熱）感知器による連動閉鎖も可能とすることができる。
【００２３】
本実施形態の建物用シャッター１１では、上部手動式の場合を例に説明する。
【００２４】
図２は図１に示した建物用シャッター１１の側面図である。
建物用シャッター１１は、収納部１３と天井Ｃとの間に下り壁が設けられていない。すなわち、建物用シャッター１１は、建物内対向面１９のみの間で取り付けられている。建物内対向面１９には、収納部１３と床Ｆとの間に、一対のガイドレール２３，２３が取り付けられる。
【００２５】
図３は図１の軸端における要部拡大図である。
本実施形態に係る建物用シャッター１１は、巻取軸１５と、軸端支持ブラケット２５と、ブラケット固定プレート２７と、ガイドレール本体２９（図４参照）と、補強部材３１（図４参照）と、ジョイント部材３３（図４参照）と、取付アングル３５（図４参照）と、を主要な構成部材として有している。
【００２６】
巻取軸１５は、シャッターカーテン１７を巻き取り繰り出し自在に支持して、建物内において水平に支持される。
【００２７】
軸端支持ブラケット２５は、巻取軸１５の端部が直径方向で挿入可能なＵ字状の支持溝３７（図１１参照）を、巻取軸１５に略直交するブラケット本体板３９に有する。軸端支持ブラケット２５は、このブラケット本体板３９の支持溝３７を上下で挟む上端縁及び下端縁に、巻取軸中央部と反対側（図３の右側）となる外方向に突出した平行な上下一対のブラケット固定片４１を有する。この軸端支持ブラケット２５は、一つの建物用シャッター１１の取り付けに際し、左右一対とされる。
【００２８】
巻取軸１５の左右の端部には、転動体を有した軸受（図示略）の内輪が固定される。この軸受は、巻取軸１５が支持溝３７に挿入された後、外輪がブラケット本体板３９に軸受固定ボルト４３で固定される。ブラケット本体板３９の外側に突出した巻取軸１５の一方の端部には、スプロケット４５が固定される。巻取軸１５は、このスプロケット４５と開閉機２１とに掛け渡されたローラチェーン（図示略）により回転される。
【００２９】
ブラケット固定プレート２７は、一対の軸端支持ブラケット２５のそれぞれに対となって組み合わされる。つまり、ブラケット固定プレート２７は、一つの建物用シャッター１１の取り付けに際し、一対のものが使用される。ブラケット固定プレート２７は、上下一対のブラケット固定片４１のそれぞれの下面を上面に載置して一対のブラケット固定片４１が固定される一対の載置片４７を有する。ブラケット固定片４１と載置片４７とは、載置片固定ボルト４９とナットＮとにより締結される。
【００３０】
ブラケット固定プレート２７は、巻取軸１５に略直交して、この一対の載置片４７を上端縁及び下端縁に接続するとともに建物内対向面１９に固定されるプレート本体板５１を有する。プレート本体板５１は、プレート固定ボルト５３により建物内対向面１９に固定される。建物内対向面１９には、このプレート固定ボルト５３と螺合するインサートナット、或いは、アンカーが予め埋設されている。
【００３１】
図４は図１に示したガイドレール２３の平断面図である。
ガイドレール本体２９は、シャッターカーテン１７の昇降方向に沿う左右の側縁部を案内溝５５に挿入してガイドする。ガイドレール本体２９は、一つの建物用シャッター１１の取り付けに際し、左右一対のものが使用される。
【００３２】
補強部材３１は、一つの取付箇所ごとに一対のものが用いられ、昇降するシャッターカーテン１７を挟む表裏方向となる垂直な方向（図４の上下方向）で、ガイドレール本体２９を挟む。補強部材３１は、昇降するシャッターカーテン１７の表裏方向と同方向に突出する係合部材５７をガイドレール本体２９に係合する。
【００３３】
係合部材５７は、係合ボルト５９と、この係合ボルト５９に螺合する係合筒６１とからなる。係合筒６１は、ガイドレール本体２９の案内溝５５を挟む少なくとも片側に設けられた係合鍔部６３（図８参照）に挿入される。一対の補強部材３１，３１は、ガイドレール本体２９を挟んだ状態で、後述のジョイント部材３３により一体に連結固定される。ガイドレール本体２９を挟持した少なくとも一方の補強部材３１には、係合ボルト５９が貫通される。補強部材３１を貫通した係合ボルト５９は、係合鍔部６３に挿入された係合筒６１に螺合する。その結果、一体となってガイドレール本体２９を挟持した一対の補強部材３１，３１は、係合筒６１を介して係合筒６１の半径方向に対するガイドレール本体２９の移動を規制して、ガイドレール本体２９を支持する。
【００３４】
図５は図１に示した右方におけるガイドレール近傍の一部分を切り欠いた拡大正面図である。
補強部材３１は、建物内対向面１９に対するガイドレール本体２９の取り付け箇所ごとに、ガイドレール本体２９を挟む左右一対のものが使用される。左右一対の補強部材３１は、共通のものとすることができる。補強部材３１の取り付け箇所は、ガイドレール本体２９の長手方向に沿って例えば２５０ｍｍ間隔のピッチＰで設けられる。これにより、シャッターカーテン１７の側縁部からガイドレール本体２９に加わる風圧による大きな外力を建物内対向面１９に支持することができる。
【００３５】
図６は図１の左方におけるガイドレール本体２９の取付構造の要部拡大正面図である。
ジョイント部材３３は、案内溝５５の溝開口６５と反対側（図６の左側）のガイドレール本体２９の背面に配置される。ジョイント部材３３は、一対の補強部材３１，３１を補強部材固定ボルト６７，６７により連結する。このため、補強部材３１には、補強部材固定ボルト６７の螺合するネジ穴６９（図８参照）が形成されている。また、ジョイント部材３３は、補強部材３１と反対側に突出した平行な一対のジョイント固定片７１，７１を、上端縁及び下端縁に有し、略コ字状に形成される。
【００３６】
取付アングル３５は、水平片７３と垂直片７５とを有して断面Ｌ形に形成される。取付アングル３５は、水平片７３が、ジョイント部材３３における上下一対のジョイント固定片７１，７１のいずれか一方にジョイント固定ボルト７７により固定される。ジョイント固定片７１には、ジョイント固定ボルト７７が螺合するネジ穴７９が形成されている。水平片７３がジョイント部材３３に固定された取付アングル３５は、垂直片７５が建物内対向面１９にアングル固定ボルト８１により固定される。アングル固定ボルト８１は、建物内対向面１９に予め設けたインサートナット、或いは、アンカーに螺合する。
【００３７】
図７はガイドレール２３の取付例を（ａ）（ｂ）で表した概略平断面図である。
ガイドレール２３は、本実施形態のように、図７（ａ）に示す柱８３の建物内対向面１９に取り付けられる他、図７（ｂ）に示す対向配置する建物躯体を構成する壁８５の建物内対向面１９、或いは柱８３と壁８５の対向面など、互いに向き合う面間に取り付けられる。なお、柱８３は、例えば鉄骨やコンクリート等よりなる。
【００３８】
次に、上記した構成の作用を説明する。
図８はガイドレール本体２９、補強部材３１及びジョイント部材３３が固定される前の建物用シャッター１１の組立手順の説明図である。なお、図８〜図１１において、Ｎは所定のボルトに螺合するナット、ＳＷは所定のボルトに外挿されるスプリングワッシャー、ＦＷは所定のボルトに外挿される平ワッシャーを表す。
この建物用シャッター１１では、一対の補強部材３１，３１が、ガイドレール本体２９を、シャッターカーテン１７を挟む表裏方向で挟んで配置される。一対の補強部材３１，３１は、図５に示したように、ガイドレール本体２９の延在方向、すなわち、上下方向に沿って所定のピッチで複数対となって設けられる。
【００３９】
ガイドレール本体２９を挟んで配置された一対の補強部材３１，３１は、ガイドレール本体２９の背面側（溝開口６５と反対側）でジョイント部材３３により、補強部材固定ボルト６７を用いて一体に連結される。ジョイント部材３３には、補強部材固定ボルト６７が前後方向（シャッターカーテン１７に対し垂直となる表裏方向）に移動し、ジョイント部材３３と補強部材３１，３１との位置ズレを吸収する調整用の前後長穴８７が穿設されている。
【００４０】
補強部材固定ボルト６７は、補強部材３１，３１に形成されたネジ穴６９に螺合する。ガイドレール本体２９を挟んだ状態でジョイント部材３３により一体に連結された一対の補強部材３１，３１は、係合部材５７がガイドレール本体２９に係合することにより、ガイドレール本体２９を離脱不能に保持する。補強部材３１，３１には、係合ボルト５９が上下方向に移動し、補強部材３１とガイドレール本体２９との位置ズレ等を調整するための上下長穴８９が穿設されている。
【００４１】
図９は取付アングル３５が固定される前の建物用シャッター１１の組立手順の説明図である。
一方、建物内対向面１９には、取付アングル３５の垂直片７５が所定の位置にアングル固定ボルト８１で固定される。垂直片７５には、アングル固定ボルト８１が上下方向に移動し、建物内対向面１９と取付アングル３５との位置ズレを吸収する調整用の上下長穴９１が穿設されている。
【００４２】
建物内対向面１９に固定された取付アングル３５の水平片７３は、補強部材３１，３１とともにガイドレール本体２９を保持したジョイント部材３３の上下いずれか一方のジョイント固定片７１とジョイント固定ボルト７７で固定される。
【００４３】
水平片７３には、ジョイント固定ボルト７７が左右方向、すなわち巻取軸１５の長手方向に沿う方向に移動し、取付アングル３５とジョイント部材３３との位置ズレを調整可能とする左右長穴９３が穿設されている。
【００４４】
ジョイント固定ボルト７７は、ジョイント固定片７１に形成されたネジ穴７９に螺合する。これにより、ガイドレール本体２９は、補強部材３１，３１、ジョイント部材３３及び取付アングル３５を介して建物内対向面１９に取り付けられる。
【００４５】
なお、取付アングル３５は、先に、水平片７３が、ジョイント部材３３のジョイント固定片７１に固定されてもよい。この場合、ガイドレール本体２９は、ジョイント部材３３に固定された取付アングル３５の垂直片７５が最後に建物内対向面１９にアングル固定ボルト８１により固定されて、建物躯体側に取り付けられる。
【００４６】
図１０は化粧板９５が固定される前の建物用シャッター１１の組立手順の説明図である。
建物躯体の建物内対向面１９に取り付けられたガイドレール本体２９は、案内溝５５を挟む左右の側面が、一対の化粧板９５，９５により覆われる。化粧板９５は、ガイドレール本体２９に沿って上下方向に長い長尺部材となる。化粧板９５は、長手方向に直交する断面がＬ形に形成される。
【００４７】
化粧板９５は、断面形状における一端側がガイドレール本体２９に化粧板固定ビス９７により固定される。建物内対向面１９には、取付アングル３５を挟んで断面Ｌ形の一対の取付ベース板９９，９９がベース板固定ボルト１０１により固定される。化粧板９５の断面形状における他端側は、取付ベース板９９の起立片１０３に、化粧板固定ビス９７により固定される。左右のガイドレール２３，２３は、両建物内対向面１９，１９にそれぞれの案内溝５５を対向させた向きで取り付けられる。これにより、建物内対向面１９，１９には、化粧板９５に覆われて、案内溝５５のみを表出させたガイドレール２３，２３が対向して設置完了となる。
【００４８】
図１１は軸端支持ブラケット２５、ブラケット固定プレート２７が固定される前の建物用シャッター１１の組立手順の説明図である。
本実施形態に係る建物用シャッター１１では、ブラケット固定プレート２７のプレート本体板５１が、建物内対向面１９のそれぞれにプレート固定ボルト５３で固定される。
【００４９】
プレート本体板５１には、プレート固定ボルト５３が前後方向に移動し、建物内対向面１９とブラケット固定プレート２７との位置ズレを吸収する調整用の前後長穴１０５が穿設されている。ここで、本実施形態のブラケット固定プレート２７は、プレート本体板５１の下端に略Ｌ字形状の補強用支持部材１０７を延設するよう溶接固定し、この補強用支持部材１０７に穿設した前後長穴１０５をプレート固定ボルト５３で建物内対向面１９に固定している。
【００５０】
建物内対向面１９に固定される各ブラケット固定プレート２７には、互いに接近する方向に、水平な上下一対の載置片４７が突出する。これら上下の載置片４７の各上面に、軸端支持ブラケット２５の上下一対のブラケット固定片４１が載置され、すなわち互いにコ字状の軸端支持ブラケット２５とブラケット固定プレート２７とが組み合わさり、かつ、載置片固定ボルト４９で固定される。載置片４７には、載置片固定ボルト４９が左右方向に移動し、ブラケット固定プレート２７と軸端支持ブラケット２５との位置ズレを吸収し調整可能な左右長穴１０９が穿設されている。
【００５１】
軸端支持ブラケット２５は、ブラケット固定片４１が載置片４７に固定されることにより、ブラケット本体板３９が建物内対向面１９と平行となる。このブラケット本体板３９には、Ｕ字状の支持溝３７が形成されている。ブラケット固定プレート２７に固定された軸端支持ブラケット２５の支持溝３７には、シャッターカーテン１７を巻装した巻取軸１５の両側の端部が、直径方向で挿入される。支持溝３７に挿入された巻取軸１５は、軸受がブラケット本体板３９に軸受固定ボルト４３（図３参照）で固定される。これにより、巻取軸１５は、軸端支持ブラケット２５及びブラケット固定プレート２７を介して建物内対向面１９に取り付けられる。
【００５２】
なお、上記の実施形態では、ガイドレール本体２９が先に建物内対向面１９に固定された後、巻取軸１５が建物内対向面１９に支持される組立手順の例を説明したが、建物用シャッター１１は、先に巻取軸１５が支持された後に、ガイドレール本体２９が固定されてもよい。
【００５３】
従って、本実施形態に係る建物用シャッター１１によれば、各部の締結部分を構成する各長穴である前後長穴８７、上下長穴８９，９１、左右長穴９３、前後長穴１０５，左右長穴１０９によって、必ずしも互いに平行で平滑でない建物躯体側の建物内対向面１９に対して、それぞれを調整して、巻取軸１５の水平度、ガイドレール２３の垂直度などを調整可能とし、シャッターカーテン１７を柱８３間や壁８５間の建物内対向面１９に設置できる。
【００５４】
また、建物用シャッター１１は、溶接によらず、各ボルトなどの締結具により全ての取付固定が行えるので、無火気にて施工を行うことができ、施工期間を短縮することができる。
【符号の説明】
【００５５】
１１…建物用シャッター
１５…巻取軸
１７…シャッターカーテン
１９…建物内対向面
２５…軸端支持ブラケット
２７…ブラケット固定プレート
２９…ガイドレール本体
３１…補強部材
３３…ジョイント部材
３５…取付アングル
３７…支持溝
３９…ブラケット本体板
４１…ブラケット固定片
４７…載置片
５１…プレート本体板
５５…案内溝
５７…係合部材
６５…溝開口
７１…ジョイント固定片
７３…水平片
７５…垂直片
【図１】
2019082062.tif 000003
【図２】
2019082062.tif 000004
【図３】
2019082062.tif 000005
【図４】
2019082062.tif 000006
【図５】
2019082062.tif 000007
【図６】
2019082062.tif 000008
【図７】
2019082062.tif 000009
【図８】
2019082062.tif 000010
【図９】
2019082062.tif 000011
【図１０】
2019082062.tif 000012
【図１１】
2019082062.tif 000013